(57)【特許請求の範囲】
【請求項１】
テーブル本体と該テーブル本体を昇降可能に支持する脚部と前記テーブル本体の高さを任意の位置で固定するロック機構と、該ロック機構の解除状態とロック状態とを揺動回転動作で切り替え可能とする操作レバーとを備える昇降テーブルにおいて、前記操作レバーの揺動回転の方向と交差する方向に抜き差し自在にして前記操作レバーがロック位置からロック解除位置へ回動するときに前記操作レバーと当接する範囲に差し込まれたときに前記操作レバーのロック解除方向への回動を阻止するレバーロックピンと、該レバーロックピンを前記操作レバーと当接する範囲に常時差し込まれるように付勢する復帰用ばねとを備え、前記レバーロックピンを前記復帰用ばねのばね力に抗して退避位置に移動させなければ操作レバーがロック解除方向へ操作できず、かつ前記操作レバーがロック位置に移動した時には前記復帰用ばねによって前記操作レバーと当接する範囲に前記レバーロックピンが自動復帰して挿入されて前記操作レバーの回動にロックがかかるものである昇降テーブル。
【請求項２】
前記脚部の昇降動作を補助するアクチュエータとしてロック機構付きガスプリングを備えた昇降テーブルに適用されたものであり、前記ロック機構付きガスプリングのオイルの流れを遮断するバルブの開閉動作を制御するピンをロッド内に押し込むペダルをコントロールケーブルを介して前記操作レバーの回転で制御するものである請求項１記載の昇降テーブル。
【請求項３】
前記操作レバーには、当該操作レバーがロック解除位置にあるときに前記レバーロックピンの先端と当接して前記操作レバーと当接する範囲に前記レバーロックピンが挿入されるのを阻止する邪魔板を備えるものである請求項１または２記載の昇降テーブル。
【請求項４】
前記操作レバーは前記テーブルの裏面に固定される筐体に回転自在に支持されると共に前記筐体を貫通して前記操作レバーの回転中心と同軸状に配置される操作レバーロック用の操作ロッドを備え、前記操作ロッドの前記筐体から突出した一端と前記筐体との間に前記復帰用ばねを配置する一方、前記操作ロッドの前記筐体から突出した他端側に前記操作ロッドと前記レバーロックピンとを並列配置して連結し同時に移動可能とするプレートを設け、前記操作ロッドの軸方向移動で前記レバーロックピンを前記操作レバーに対して抜き差しすると共に、前記復帰用ばねのばね力で前記操作ロッドを元位置に復帰させることで前記レバーロックピンを前記操作レバーと当接する範囲に差し入れるものである請求項１から３のいずれかに記載の昇降テーブル。
【発明の詳細な説明】
【技術分野】
【０００１】
本発明は、任意の位置で固定可能な昇降機構によりテーブル高さを自在に調整することができる昇降テーブルに関する。さらに詳述すると、本発明は、昇降機構の固定機構を解除する操作レバーの改良に関する。
【背景技術】
【０００２】
昇降テーブルとしては、一対の脚をＸ形に交差させてその交差部を水平軸周りに回動自在に連結したＸ脚と呼ばれる支持脚を開閉させることによってその上に載置されたテーブル本体を昇降させるようにしたもの（特許文献１）や、ロック機構付きガススプリングを支柱に組み込んで、支柱そのものが上下方向に伸縮するようにしたものが知られている。
【０００３】
この種の昇降機構においては、無段階で高さを調整可能とするためにロック機構付きガススプリングのような脚部の昇降動作を補助するアクチュエータを採用し、その伸縮量を任意の位置で固定可能としたものが一般的である。勿論、脚部の昇降動作を補助するガススプリングなどのアクチュエータとは別にレバー操作で解除状態とロック状態とを切り替え可能としたロック機構を備え、アクチュエータの動きとは切り離されて任意の位置で高さ調整可能とすることもある。
【０００４】
【特許文献１】実公昭５７−４８４３１
【発明の開示】
【発明が解決しようとする課題】
【０００５】
しかしながら、凹凸の噛み合わせにより段階的にテーブル高さを固定するロック機構の場合と異なって、無段階でテーブルの昇降位置を設定できるロック機構付きガススプリングのようなロック機構の場合、ロック解除用の操作レバーを誤って操作した場合などに、テーブル本体が一気に昇降する虞がある。特に、テーブル本体の上に重量物が載せられている状態では、使用者がテーブル本体を支えない状態で誤って操作レバーが操作されてしまうと、荷重が加わってテーブル本体が急に降下してしまい、テーブル上の荷物などが落下したり転倒してしまう虞がある。また、この種のテーブルでは、子供が遊具代わりに遊びに使ったりすることも考えられる。そして、テーブルの上に乗った状態で子供が誤って操作レバーに触れることにより、思いもかけずにテーブル本体が急降下して放り出されたり、テーブル本体の下に子供が入り込んで遊んでいたり、脚部に手を入れたりしている場合には、さらに大きな事故を招く虞がある。
【０００６】
他方、昇降動作時の操作レバーの取り扱いを容易にするためには、テーブルの縁に近い所に操作レバーが配置されることが望まれる。これにより、昇降操作のためにテーブルの下に潜り込む必要がなく、操作レバーの取り扱いが非常に容易なものとなるが、その反面間違って操作し易い面も包含することとなる。例えば、テーブルの近くを通ったり、テーブルの近くに立って作業をするときなどに、衣服などが操作レバーに引っかかってロックが不意に解除されてしまう虞がある。
【０００７】
そこで本発明は、２重操作によって始めて昇降機構のロック解除操作が実行できる昇降テーブル、即ち明確なロック解除意思を有しているときにのみロック解除操作が実行できる昇降テーブルを提供することを目的とする。
【課題を解決するための手段】
【０００８】
かかる目的を達成するため、本発明は、テーブルと該テーブルを昇降可能に支持する脚部とテーブルの高さを任意の位置で固定するロック機構と、該ロック機構の解除状態とロック状態とを揺動回転動作で切り替え可能とする操作レバーとを備える昇降テーブルにおいて、操作レバーの揺動回転の方向と交差する方向に抜き差し自在にして操作レバーがロック位置からロック解除位置へ回動するときに操作レバーと当接する範囲に差し込まれたときに操作レバーのロック解除方向への回動を阻止するレバーロックピンと、該レバーロックピンを操作レバーと当接する範囲に常時差し込まれるように付勢する復帰用ばねとを備え、レバーロックピンを復帰用ばねのばね力に抗して退避位置に移動させなければ操作レバーがロック解除方向へ操作できず、かつ操作レバーがロック位置に移動した時には復帰用ばねによって操作レバーと当接する範囲にレバーロックピンが自動復帰して挿入されて操作レバーの回動にロックがかかるようにしている。
【０００９】
ここで、本発明の昇降テーブルは、脚部の昇降動作を補助するアクチュエータとしてロック機構付きガスプリングを備えた昇降テーブルに適用されたものであり、ロック機構付きガスプリングのオイルの流れを遮断するバルブの開閉動作を制御するピンをロッド内に押し込むペダルをコントロールケーブルを介して操作レバーの回転で制御するものであることが好ましい。
【００１０】
また、操作レバーには、当該操作レバーがロック解除位置にあるときにレバーロックピンの先端と当接して操作レバーの揺動回転軌跡内にレバーロックピンが挿入されるのを阻止する邪魔板を備えるものであることが好ましい。
【００１１】
さらに、操作レバーは、テーブルの裏面に固定される筐体に回転自在に支持されると共に筐体を貫通して操作レバーの回転中心と同軸状に配置される操作レバーロック用の操作ロッドを備え、操作ロッドの筐体から突出した一端と筐体との間に復帰用ばねを配置する一方、操作ロッドの筐体から突出した他端側に操作ロッドとレバーロックピンとを並列配置して連結し同時に移動可能とするプレートを設け、操作ロッドの軸方向移動でレバーロックピンを操作レバーに対して抜き差しすると共に、復帰用ばねのばね力で操作ロッドを元位置に復帰させることでレバーロックピンを操作レバーと当接する範囲に差し入れるものであることが好ましい。
【発明の効果】
【００１２】
請求項１記載の発明に係る昇降テーブルによれば、操作レバーと当接する範囲に差し入れられているレバーロックピンを抜き取って操作用レバーとの係合を解除することによってはじめて操作用レバーの回転操作を可能としたので、誤ってロック解除操作を行うことがない。しかも、昇降機構のロックのために操作用レバーを開放あるいは元の位置に戻すと、レバーロックピンも復帰用ばねの力で自動復帰して操作レバーと当接する範囲に差し入れられるため、自動的にロック機構をロック状態に移行させることができる。このため、意図的にロック解除操作を行わないかぎり、昇降機構はロック状態を常時保っていることができる。
【００１３】
また、本発明によると、ロック機構の誤動作がないため、操作用レバーをテーブルの縁に沿ってテーブル裏面に配置することができ、テーブル昇降時のロック解除操作がテーブルの縁に手をかけた状態で容易に行える。
【００１４】
さらに請求項２記載の発明によれば、脚部の昇降動作をロック機構付きガスプリングで補助し、ロック機構付きガスプリングのオイルの流れを遮断するバルブの開閉動作を制御するピンをロッド内に押し込むペダルをコントロールケーブルを介して操作レバーの回転で制御するものであることから、操作レバーの回動によるロック機構のロック解除と同時にガススプリングのばね力が作用するためテーブルの昇降動作が軽やかなものとなる。
【００１５】
さらに請求項３記載の発明によれば、操作レバーには、当該操作レバーがロック解除位置にあるときに操作レバーと当接する範囲にレバーロックピンが挿入されるのを阻止する邪魔板を備えることから、操作レバーをロック解除方向へ揺動回転させるときには、レバーロックピンを復帰用ばねの力に抗して引っ張り続ける必要がなく、操作レバーによるロック解除操作が容易となる。
【００１６】
さらに請求項４記載の発明によれば、操作ロッドの軸方向移動でレバーロックピンを操作レバーに対して抜き差し可能とすると共に、復帰用ばねのばね力で操作ロッドを元位置に復帰させることでレバーロックピンを操作レバーと当接する範囲に差し入れるようにしているので、操作ロッドを例えば手のひらで押し込むだけの簡単な操作でレバーロックピンを操作レバーと当接する範囲から抜き取れる。しかも、押し込んでいる操作ロッドを開放するだけで操作レバーがロック位置に戻ったときに自動的にロック状態に復帰させることができ、操作がより簡単なものとなる。
【発明を実施するための最良の形態】
【００１７】
以下、本発明の構成を図面に示す実施形態に基づいて詳細に説明する。
【００１８】
図１から図４に本発明の昇降テーブル用ロック解除機構の一実施形態を示す。この実施形態のロック解除機構１は、昇降動作を補助するアクチュエータとして取り付け姿勢に制限を受けないフリーピストン入りのロック機構付きガスプリングを備えた昇降テーブルに適用されたものであり、ガスプリングのオイルの流れを遮断するバルブの開閉動作を制御するピンをコントロールケーブルを介在させて操作するものである。
【００１９】
本実施形態のロック解除機構１は、テーブル本体の縁の裏面に取り付けるものであり、テーブルの裏面に固定される筐体３を有し、該筐体３を介してテーブル本体に対して操作レバー２が揺動回転自在に支持されると共に、操作レバー２の揺動回転の方向と交差する方向に抜き差し自在にして操作レバー２がロック位置（図１（Ａ）参照）からロック解除位置（図１（Ｃ）参照）へ回動するときに操作レバー２と当接する範囲に差し込まれたときに操作レバー２のロック解除方向への回動を阻止するレバーロックピン６と、該レバーロックピン６を操作レバー２と当接する範囲に常時差し込まれるように付勢する復帰用ばね１５とを備え、レバーロックピン６を復帰用ばね１５のばね力に抗して退避位置に移動させなければ操作レバー２がロック解除方向へ操作できず、かつ操作レバー２がロック位置に移動した時には復帰用ばね１５によって操作レバー２と当接する範囲にレバーロックピン６が自動復帰して挿入されて操作レバー２の回動にロックがかかるように設けられている。
【００２０】
操作レバー２は、揺動回転の際の軸受けとなる（回転中心となる）円筒軸支部４を有し、その前方側にコントロールケーブル９の玉部１０を引っ掛けるワイヤ受け８を備えると共に、後方側には使用者の指を掛ける取っ手部２ａが設けられた略へ形を成すものである。この操作レバー２は、円筒軸支部４の両端に筐体３の側壁３ａの貫通孔を通して側壁３ａの外から挿入されるフランジ付き軸受けブッシュ１６によって回転自在に筐体に支持されている。
【００２１】
また、操作レバー２のレバーロックピン６が挿入される側の側面には、当該操作レバー２がロック解除位置にあるときにレバーロックピン６の先端と当接して操作レバー２と当接する範囲にレバーロックピン６が挿入されるのを阻止する邪魔板７が設けられている。この邪魔板７は、同時に、操作レバー２を誤って下側に回転操作した場合に筐体３の上部（天上部分）に当接することにより、それ以上の操作レバー２の回転を防止してコントロールケーブル９が引っ張られてロック機構付きガスプリングのピンを誤操作することを阻止する働きをする。邪魔板７は、例えば操作レバー２をプレス加工などで折り曲げる際に側縁の一部を切り起こすことにより一体成形されているが、場合によっては溶接などで一体化しても良い。本実施形態の場合、邪魔板７はほぼ矩形を成すが、特にその形状に限定を受けるものではない。
【００２２】
筐体３の両側壁３ａ並びに操作レバー２の円筒軸支部４には、レバーロックピン６を操作するための操作ロッド５が貫通させられている。この操作ロッド５は、筐体３に挿入されたフランジ付き軸受けブッシュ１６を貫通して操作レバー２の円筒軸支部４と同軸状に配置されている。そして、該操作ロッド５の筐体３から突出した一端と筐体３との間に復帰用ばね１５を配置する一方、操作ロッド５の筐体３から突出した他端側にレバーロックピン６を支持するプレート１７を固定することによって、円筒軸支部４並びに筐体３から離脱不能に備え付けられる。プレート１７は、フランジ付き軸受けブッシュ１６から僅かに突出した操作ロッド５の端面に当接されてビス１８で止め付けられ、操作ロッド５並びにフランジ付き軸受けブッシュ１６の筐体３からの抜け止めを兼ねるように設けられている。
【００２３】
操作ロッド５の一端には、釦１９が設けられ、その釦１９と筐体３との間に復帰用コイルばね１５が介在され、操作ロッド５を円筒軸支部４に押し込む際に圧縮されてばね力を蓄え、操作ロッド５から手が離されたときに、自動的に操作ロッド５が元の位置に復帰し得る弾性力を常時付勢するように設けられている。本実施形態の場合、復帰用ばね１５は筐体３の貫通孔に挿入されたフランジ付き軸受けブッシュ１６のフランジ部分に一端が当接され、同フランジ付き軸受けブッシュ１６の筐体３からの抜け止めを兼ねるように設けられている。
【００２４】
他方、プレート１７には、操作レバー２の揺動を阻止するレバーロックピン６が操作ロッド５と平行に、換言すれば操作レバー２の回転中心軸と平行に配置されている。本実施形態の場合、プレート１７に対してねじ止めされたビスによってレバーロックピン６が構成されている。勿論、レバーロックピン６とプレート１７と操作ロッド５とを予め一つの部材で構成することで一体化するようにしても良い。筐体３には、レバーロックピン６が貫通する孔が設けられ、操作レバー２の内側にロックピン６が突出するように設けられている。したがって、操作ロッド５の軸方向移動でレバーロックピン６を操作レバー２に対して抜き差し動作させ、復帰用ばね１５のばね力で操作ロッド５を元位置に復帰させることでレバーロックピン６を操作レバー２と当接する範囲に自動復帰させる動きが与えられる。
【００２５】
操作レバー２のコントロールケーブル９が引き出される前立壁２ｂの外壁面側には、操作レバー２を回転させる際に前立壁２ｂの縁にコントロールケーブル９が当たってキンクしたり傷つくのを防ぐ断面円形のガイド棒１１が設けられている。このガイド棒１１の存在により、操作レバー２をロック解除位置にまで回動させた際に、コントロールケーブル９が操作レバー２の前立壁２ｂあるいはワイヤ受け８の縁と当たるのを防ぐようにしている。また、コントロールケーブル９は、筐体３の前立壁３ｂに設けられたスリット１４にねじ筒１２を挿入してナット１３で前立壁３ｂを挟み付けるようにして筐体３にアウターケーシング部分が固定されている。尚、コントロールケーブル９の他端部は、ロック機構の切替操作部例えば図５に示すようなロック機構付きガスプリングのピンをロッド内に押し込むペダルに連結され、コントロールケーブルを介して操作レバーの回転でペダルを回転させてピンを押し込むように設けられている。
【００２６】
以上のように構成された昇降テーブル用ロック解除機構を適用した昇降テーブルの一実施形態を図５から７図に示す。この昇降テーブルは、テーブル本体２０の裏面にＸ脚２１とその開閉動作（換言すれば昇降動作）を補助する行うフリーピストン入りのロック機構付きガスプリング２２とその動きをＸ脚２１の両脚に同期させて伝達するためのリンク機構２３とから成る昇降機構が設けられている。Ｘ脚２１は、一対の脚体２１ａ，２１ｂをその中央部分でＸ形に交差させると共に、その交差部を水平軸２４を介して回動自在に連結することによって、鋏のように開閉しうる構造とされている。本実施形態における脚体２１ａ，２１ｂは、２本で１組の脚体の両端をそれぞれ水平配置された横棒２５ａ，２５ｂ，２６ａ，２６ｂによって連結されてフレームを構成するように一体化されると共に、上側の端部の横棒２５ａ，２５ｂにはスライダ２７が、下側の端部の横棒２６ａ，２６ｂには床上を転動する車輪２８が備えられ、両脚体２１ａ，２１ｂの挟み角を変えるように開閉させることによって、テーブル本体２０を昇降させるように構成されている。尚、スライダ２７は、テーブル本体２０の裏面にビス止めされた４箇所のガイドレール２９に収容され、テーブル本体２０に対してＸ脚２１の両上端の横棒２５ａ，２５ｂが水平に移動可能に支持されている。テーブル全体は、下端の車輪２８の回転により床上での水平移動と脚の開閉動作時の水平移動とを容易なものとしている。
【００２７】
また、テーブル本体２０の裏面中央には支持プレート３０を介して天秤レバー３１が垂直軸周りに回動自在にビス３２で固定され、この天秤レバー３１の一方の回動端側が一方の脚体２１ａの横棒２５ａに、他方の回動端側を他方の脚体２１ｂの横棒２５ｂにそれぞれリンク３３，３４を介して接続している。両リンク３３，３４は、その一端が天秤レバー３１に回動自在にピンで連結されると共に、この連結点は天秤レバー３１の回転中心となるビス３２に対して同一距離隔った対向位置に配置されている。また、各リンク３３，３４の他端は、Ｘ脚２１の各横棒２５ａ，２５ｂに備えられた環状ブラケット３５にピン軸を介して垂直軸周りに旋回可能に連結されている。したがって、天秤レバー３１を回動変位させると、Ｘ脚２１の双方の上端の各横棒２５ａ，２５ｂが反対方向に同時に同一量スライドする。
【００２８】
天秤レバー３１にはロック機構付きガスプリング２２の取付部がピンで連結されている。他方、ロック機構付きガスプリング２２の他端は、テーブル本体２０の裏面に固着された操作ボックス３６に先端の取り付け部のねじを利用して固定され、操作ボックス３６内にオイルの流れを遮断するバルブの開閉動作を制御するピン３７を突出させるようにして固定されている。操作ボックス３６内にはピン３７の先端と当接してこれを押し込むペダル３８が揺動自在に設けられ、コントロールケーブル９を介して操作レバー２と連結されている。
【００２９】
以上のように構成された昇降テーブルによれば、テーブル本体２０の高さを調整する場合には、まず操作ロッド５を例えば手のひらなどで復帰用ばね１５のばね力に抗して押し込むことにより、操作ロッド５と共にレバーロックピン６を操作レバー２と当接する範囲から押し出すようにして抜き取る。次いで、操作レバー２を回動させることにより、ワイヤ受け８に玉部１０が引っ掛かっているコントロールケーブル９を引っ張って操作ボックス１９のペダル３８を揺動回転させ、ロック機構付きガススプリング２２のバルブ開閉用ピン３７を押し込む。これによって、ガススプリング２２を伸縮自在なロック解除状態にされるので、該ガススプリング２２に拘束されていた天秤レバー３１が回動自在となって該天秤レバー３１の両回動端にリンク３３，３４を介して連結された脚体２１ａ，２１ｂが開閉自在な状態となり、Ｘ脚２１に支持されたテーブル本体２０を昇降させることができる。そこで、ガススプリング２２のガス圧に起因するばね力のアシストを受けてテーブル本体２０を任意高さに昇降させる（図６並びに図７参照）。このとき、操作レバー２を回動させてロック解除位置に引き上げた状態（図１の（Ｃ）参照）では、操作ロッド５から手が離されていても、復帰用ばね１５のばね力で元の位置に戻ろうとしているレバーロックピン６ひいては操作ロッド５が邪魔板７によってその動きが規制されることから、これらは復帰のための付勢力が常時付勢された状態でその位置に保持される。したがって、操作レバー２をロック解除位置に引き上げた状態でテーブル本体２０を昇降させている間には、操作レバー２と当接する範囲にレバーロックピン６が侵入することはない。そして、操作レバー２がロック位置に戻されると、邪魔板７が操作レバー２と共に回動してレバーロックピン６の前方を通過して退避するため、操作レバー２が通過すると同時に復帰用ばね１５の力でレバーロックピン６が操作レバー２の内側へ侵入し、操作レバー２のロック解除位置側への回転を阻止する（図１の（Ａ）並びに（Ｂ）参照）。これにより、再度操作ロッド５の押し込み（操作レバー２からの抜き取り）を行わなければ操作レバー２をロック解除方向へ回動させることができない。つまり、昇降機構のロック状態が誤って解除されることはない。
【００３０】
なお、上述の実施形態は本発明の好適な実施の一例ではあるがこれに限定されるものではなく、本発明の要旨を逸脱しない範囲において種々変形実施可能である。例えば、本実施形態では、操作レバー２のロック解除方向への揺動回転を阻止するレバーロックピン６を操作レバー２の回転中心を貫通する操作ロッド５にプレート１７を介して支持させ、操作ロッド５の軸方向移動でレバーロックピン６を操作レバー２に対して抜き差しするように設けた例を挙げて主に説明したが、これに特に限られるものでなく、操作ロッド５を設けずにレバーロックピン６を直接操作するようにしても良い。つまり、操作レバー２を回転自在に支持する筐体３に、操作レバー２の揺動回転の方向と交差する方向に抜き差し自在にして操作レバー２と当接する範囲に差し込まれたときに操作レバー２のロック解除方向への回動を阻止するレバーロックピン６を備え、該レバーロックピン６を操作レバー２と当接する範囲に常時差し込まれるように付勢する復帰用ばね１５を筐体３とレバーロックピン６との間に備え、レバーロックピン６を直接摘んで復帰用ばね１５のばね力に抗して退避位置に移動させるようにしても良い。
【００３１】
また、開閉自在なＸ脚２１の上端部をテーブル本体２０の裏面にそれぞれ開閉方向にスライド自在に装着する昇降テーブルの昇降機構に適用した例を挙げて主に説明したが、このような昇降機構に特に限られるものではなく、図示していないが支柱の中に上下方向に伸縮可能なガススプリングを配置した単柱型の昇降テーブルのロック機構にも適用できることは言うまでもないし、Ｘ脚２１の一方の脚の上端部をテーブル本体２０の裏面に回転可能に固定すると共に他方の脚の上端部をテーブル本体の裏面にスライド自在に連結して、このスライド可能な他方の脚とテーブル本体との間に無段階に設定可能なガススプリングを介挿して、テーブル本体を所望の高さ位置に保持できるように構成する昇降テーブルの昇降機構に適用することも可能である。
【００３２】
また、脚の昇降動作を補助するアクチュエータとしてロック機構付きガスプリング２２を備えた昇降テーブルに適用した例を挙げて主に説明したが、これに限られるものではなく、ロック機構を有さない通常のガススプリングとこれからは独立したロック機構とのように、アクチュエータとロック機構とが完全に切り離された昇降機構や、アシスト用のアクチュエータを備えない昇降テーブルのロック機構に適用することが可能である。
【００３３】
さらに、本実施形態では、ロック機構付きガスプリング２２のバルブ開閉用のピン３７をコントロールケーブル９の介在により操作するようにしているが、場合によっては操作レバー２でピン３７を直接駆動するようにしても良い。
【図面の簡単な説明】
【００３４】
【図１】本発明の昇降ロック機構用ロック解除レバーの一実施形態を示す縦断面図で、（Ａ）はロック状態のレバー位置を、（Ｂ）はロック解除ピンを操作せずに操作レバーのみをロック解除方向へ回動させようとしたときの状態を、（Ｃ）はロック解除ピンを操作した後に操作レバーをロック解除方向へ回動させたときの状態をそれぞれ示す。
【図２】同昇降ロック機構用ロック解除レバーの側面図である。
【図３】同昇降ロック機構用ロック解除レバーの底面図である。
【図４】同昇降ロック機構用ロック解除レバーのIV-IV断面図であり、コントロールケーブルの図示を省略している。
【図５】本発明の昇降ロック機構用ロック解除レバーを用いた昇降テーブルの一実施形態を示す底面図である。
【図６】同昇降テーブルの正面図であり、最高位の状態を仮想線で示す。
【図７】同昇降テーブルの側面図であり、最高位の状態を仮想線で示す。
【符号の説明】
【００３５】
１  ロック解除機構
２  操作レバー
３  筐体
４  円筒軸支部
５  操作ロッド
６  レバーロックピン
７  邪魔板
１７  操作ロッドとレバーロックピンとを連結するプレート
２２  ロック機構付きガススプリング
【図１】
0005114287.tif 000002
【図２】
0005114287.tif 000003
【図３】
0005114287.tif 000004
【図４】
0005114287.tif 000005
【図５】
0005114287.tif 000006
【図６】
0005114287.tif 000007
【図７】
0005114287.tif 000008